【手続補正書】
【提出日】平成26年2月28日(2014.2.28)
【手続補正１】
【補正対象書類名】特許請求の範囲
【補正対象項目名】全文
【補正方法】変更
【補正の内容】
【特許請求の範囲】
【請求項１】
（ａ，ｑ）値によって画定される安定境界内で豊富な１つまたは複数のイオン種を通過させるよう構成された多極と、
前記多極の断面エリアでの前記豊富なイオンの時空間特性を記録するよう構成された検出器と、
印加ＲＦ電圧および／または印加ＤＣ電圧の関数として前記豊富な１つまたは複数のイオン種の記録された前記時空間特性のデコンボリューションを行い、前記１つまたは複数のイオン種の質量識別を提供するよう構成された処理手段と
を備える高質量分解能・高感度の質量分析計。
【請求項２】
前記処理手段は、複数の平均化されたＲＦサイクルの関数として前記豊富な１つまたは複数のイオン種の記録された前記時空間特性のデコンボリューションを行い、前記１つまたは複数のイオン種の質量識別を提供するよう構成された、請求項１に記載の質量分析計。
【請求項３】
前記多極は、四重極をさらに含む、請求項１または２に記載の質量分析計。
【請求項４】
前記多極は、高次多極電場の存在下で動作する四重極を含む、請求項１に記載の質量分析計。
【請求項５】
前記断面エリアは、前記多極の出口チャネルを備える、請求項１に記載の質量分析計。
【請求項６】
前記（ａ，ｑ）値によって画定される安定境界は、ＲＦ専用モードによって提供される安定透過窓を含む、請求項１または２に記載の質量分析計。
【請求項７】
前記（ａ，ｑ）値によって画定される安定境界は、約１０の原子質量単位（ＡＭＵ）から最大約２０ＡＭＵまでの安定透過窓を含む、請求項１または２に記載の質量分析計。
【請求項８】
前記検出器は、少なくとも約１０ＲＦサイクルから約１ＲＦサイクルまで低減される時間分解能を提供する、請求項１または２に記載の質量分析計。
【請求項９】
前記検出器は、サブＲＦサイクル程度の時間分解能を提供する、請求項１または２に記載の質量分析計。
【請求項１０】
前記検出器は、少なくとも１つまたは複数のマイクロチャネルプレートの構成で電子増倍管を備える、請求項１に記載の質量分析計。
【請求項１１】
前記検出器は、検出アノードの二次元アレイを含む、請求項１に記載の質量分析計。
【請求項１２】
前記検出アノードの二次元アレイは、遅延線アノード読み出しの形式で構成されたアレイを含む、請求項１１に記載の質量分析計。
【請求項１３】
前記遅延線アノード読み出しは、クロス配線遅延線アノード構造体を含む、請求項１２に記載の質量分析計。
【請求項１４】
前記検出器は、前記多極から収集された１つまたは複数のイメージを拡大および／または縮小するための光ファイバーバンドルを備える、請求項１に記載の質量分析計。
【請求項１５】
前記検出器は、配列された光検出器を備える、請求項１に記載の質量分析計。
【請求項１６】
前記配列された光検出器は、電荷注入デバイス（ＣＩＤ）を備える、請求項１５に記載の質量分析計。
【請求項１７】
前記多極に印加される前記ＲＦおよびＤＣ電圧は時間に線形にランプされ、あらゆる所望のイオンが、そのｍ／ｚ値に反比例する速度で前記安定境界を横断し、イオンが既定の（ａ，ｑ）ポイントに到達する時間とｍ／ｚとの間で線形関係を作成することが可能になる、請求項１または２に記載の質量分析計。
【請求項１８】
前記多極に印加される前記ＲＦおよびＤＣ電圧は、約５００ＡＭＵ／秒から最大約１００，０００ＡＭＵ／秒までの速度でランプされる、請求項１または２に記載の質量分析計。
【請求項１９】
マシュー（ａ，ｑ）値によって画定される前記安定境界を開放することによって、１０倍から最大約２００倍までの感度の増加を実現する、請求項１または２に記載の質量分析計。
【請求項２０】
前記質量識別は、約１ｐｐｍまで低減される質量精度を含む、請求項１または２に記載の質量分析計。
【請求項２１】
前記質量識別は、１００ｐｐｍから約１０ｐｐｍまで低減される質量精度を含む、請求項１または２に記載の質量分析計。
【請求項２２】
前記豊富な１つまたは複数のイオン種は、前記多極の軸に沿って対称的に注入される、請求項１または２に記載の質量分析計。
【請求項２３】
前記豊富な１つまたは複数のイオン種は、前記多極の中心から外して注入される、請求項１または２に記載の質量分析計。
【請求項２４】
全走査モードで動作するよう構成された、請求項１に記載の質量分析計。
【請求項２５】
質量スペクトル全体にわたる検出のための調査走査、それに続く対象の特徴について直接の情報を得るための複数の標的走査を伴って動作するよう構成された、請求項１に記載の質量分析計。
【請求項２６】
前記標的走査は、元素組成の決定を実現する、請求項２５に記載の質量分析計。
【請求項２７】
基準信号を提供する工程と、
前記多極の出口チャネルから豊富な１つまたは複数のイオン種の時空間の生データを取得する工程と、
前記取得データを１つまたは複数のチャンクに分割する工程と、
１つまたは複数のデータチャンクと前記基準信号から構築された基準信号の群の各々とのドット積を計算する工程と、
前記観測された生データおよび前記基準信号群を使用して、質量電荷比の一定の区間におけるイオン存在度の推定値を提供することによって、質量スペクトルを再構築する工程と、
前記観測された生データおよび前記基準信号群を使用して、異なるｍ／ｚ値および推定強度のリストを再構築する工程と
を含む高質量分解能・高感度の多極質量分析計法。
【請求項２８】
前記解答工程は、基準信号の収集値からテプリッツ形式を構築する工程をさらに含む、請求項２７に記載の質量分析計。
【請求項２９】
前記基準信号から、シフトされた自己相関ベクトルを生成する工程をさらに含む、請求項２７に記載の質量分析計法。
【請求項３０】
前記１つまたは複数のチャンク化データを再結合させて全スペクトルを提供する工程をさらに含む、請求項２７に記載の質量分析計法。
【請求項３１】
マシュー（ａ，ｑ）値によって画定される安定境界を開放することによって、約１０倍から最大約２００倍までの感度の増加を提供する工程をさらに含む、請求項２７に記載の質量分析計法。
【請求項３２】
約１ｐｐｍまで低減される質量識別を実現する工程をさらに含む、請求項２７に記載の質量分析計法。
【請求項３３】
１００ｐｐｍから約１０ｐｐｍまで低減される質量識別の精度識別を実現する工程をさらに含む、請求項３２に記載の質量分析計法。
【請求項３４】
前記多極の出口チャネルから時空間の生データを取得する前記工程は、約１０の原子質量単位（ＡＭＵ）から最大約２０ＡＭＵまでの安定透過窓を提供する工程をさらに含む、請求項２７に記載の質量分析計法。
【請求項３５】
前記多極の出口チャネルから時空間の生データを取得する前記工程は、ＲＦ専用モードによって可能となる安定透過窓を提供する工程をさらに含む、請求項２７に記載の質量分析計法。
【請求項３６】
前記多極の出口チャネルから時空間の生データを取得する前記工程は、多極に対する印加ＲＦ電圧および印加ＤＣ電圧を時間に線形にランプし、あらゆる所望のイオンが、そのｍ／ｚ値に反比例する速度で前記安定境界を横断し、イオンが既定の（ａ，ｑ）ポイントに到達する時間とｍ／ｚとの間で線形関係を作成することが可能になる工程をさらに含む、請求項２７に記載の質量分析計法。
【請求項３７】
前記多極に入射する前記１つ又は複数のイオンの位相空間を制御するように構成される冷却セルをさらに備える、請求項１または２に記載の質量分析計。
【請求項３８】
一連のイオンを生成するイオンソースと、
振動及び直流電圧が印加される一連の多極であって、印加された前記振動及び直流電圧の大きさによって決定される質量電荷比（ｍ／ｚ）の範囲内のイオンを選択的にその先端部に透過させる多極と、
前記振動及び直流電圧の少なくとも一つが、徐々に変化する間に、各々が、前記検出器の異なる位置において検束されたイオンの強度に関する情報を含み、時間的に分解した一連のイオンイメージを取得するための、前記多極の前記先端部の近傍に位置する位置敏感型検出器と、
前記検出器に接続した、一連の前記像のデータをデコンボリューションして、質量スペクトルを生成するプロセッサとを備える、
質量分析計。
【請求項３９】
イオン経路において前記多極の入り口に対して上流側に位置する四重極フィルター及び衝突セルをさらに備える、請求項３８に記載の質量分析計。
【請求項４０】
前記多極に対する前記振動及び直流電圧の印加は、高次の場の要素を持つ実質的に四重極場を生成する、請求項３９に記載の質量分析計。
【請求項４１】
前記振動及び直流電圧の大きさが選択されて、２ＡＭＵと２０ＡＭＵとの間の透過するイオンのｍ／ｚ範囲を設定する、請求項３８に記載の質量分析計。
【請求項４２】
前記検出器は、二次元アレイの検出アノードを備える、請求項３８に記載の質量分析計。
【請求項４３】
前記検出器は、配列された光検出器を備える、請求項３８に記載の質量分析計。
【請求項４４】
前記振動及び直流電圧の大きさが、時間的に分解した前記一連のイオンイメージが取得される間の時間に線形に変更される、請求項３８に記載の質量分析計。
【請求項４５】
前記プロセッサは、一連の参照信号のクロス積を計算することによって、前記一連のイオンイメージのデータをデコンボリューションするように構成され、
前記参照信号は各々、前記多極の特定の動作状態における単一のイオン種の測定されるか、又は、予測される空間分布を表現する、請求項３８に記載の質量分析計。